【手続補正書】
【提出日】平成16年1月15日(2004.1.15)
【手続補正１】
【補正対象書類名】特許請求の範囲
【補正対象項目名】全文
【補正方法】変更
【補正の内容】
【特許請求の範囲】
【請求項１】
生ごみを粉砕するための生ごみ処理機と流体に対する密封性を保つように排水ラインを該生ごみ処理機に取り付けるための接続部材とのアセンブリであって、
前記生ごみ処理機の排出口に連結された第１接続部材と、
前記排水ラインに連結された第２接続部材と、
前記第２接続部材を前記第１接続部材に確実に係止するように構成されたアンカーおよび係止部を含む係止手段とを備えるアセンブリ。
【請求項２】
前記第２接続部材を密封可能に係合するために、前記第１接続部材上または前記第２接続部材の中にシールまたはガスケットをさらに備える請求項１に記載の生ごみ処理機および接続部材アセンブリ。
【請求項３】
前記シールまたはガスケットは前記排水ラインのリムに合致する請求項２に記載の生ごみ処理機および接続部材アセンブリ。
【請求項４】
前記第１接続部材が、留め具で前記ごみ処理機に固定されるか、前記ごみ処理機のハウジングと一体に形成されるか、または、前記ごみ処理機のハウジングに成型される請求項１から３のいずれか一項に記載の生ごみ処理機および接続部材アセンブリ。
【請求項５】
前記アンカーが前記第１接続部材に設けられ、前記係止手段が前記第２接続部材に設けられる請求項１から４のいずれかに記載の生ごみ処理機および接続部材アセンブリ。
【請求項６】
前記アンカーは前記第１接続部材の周りに配設された複数のタブであり、前記係止部は、前記第２接続部材内に画定され且つ前記第１接続部材の前記タブが入り込む複数のスロットを備える請求項５に記載の生ごみ処理機および接続部材アセンブリ。
【請求項７】
前記第１接続部材はオス部材であり、前記第２接続部材は前記第１接続部材に嵌まるメス部材である請求項６に記載の生ごみ処理機および接続部材アセンブリ。
【請求項８】
前記複数のスロットのそれぞれは、前記メス部材が前記オス部材に嵌まるときに前記タブの１つを受ける第１部分と、前記メス部材が前記オス部材上で回転するときに前記１つのタブを受ける第２部分とを備える請求項７に記載の生ごみ処理機および接続部材アセンブリ。
【請求項９】
前記複数のタブがそれぞれ、前記タブの前記ごみ処理機に面する面に傾斜した案内端部を備える請求項８に記載の生ごみ処理機および接続部材アセンブリ。
【請求項１０】
前記アンカーが、前記第１接続部材の周りに配設されたリッジを備え、前記係止部が、前記第２接続部材上に配設され且つそれぞれ前記第１接続部材の前記リッジに入るキャッチを有する複数のレバーを備える請求項５に記載の生ごみ処理機および接続部材アセンブリ。
【請求項１１】
前記第２接続部材が、オス部材である前記第１接続部材に入り込むメス部材を備える請求項１０に記載の生ごみ処理機および接続部材アセンブリ。
【請求項１２】
前記複数のレバーがそれぞれ、一方の端部が前記メス部材に取り付けられ且つ前記オス部材の前記リッジから離れるように前記キャッチを動かすことができる部材を備え、前記キャッチが、前記メス部材の内面上で前記部材の前記一方の端部に隣接して配設される請求項１１に記載の生ごみ処理機および接続部材アセンブリ。
【請求項１３】
前記アンカーが、前記第１接続部材の周りに配設された複数のタブを含み、前記係止部が、前記第１接続部材の前記タブにはまるように、前記第２接続部材の面から延びる複数のフックを備える請求項５に記載の生ごみ処理機および接続部材アセンブリ。
【請求項１４】
前記第１接続部材が、前記ごみ処理機から延び且つ前記筒状ボディの周辺部の周りに配設された前記複数のタブを有する筒状ボディを備える請求項１３に記載の生ごみ処理機および接続部材アセンブリ。
【請求項１５】
前記第２接続部材が、開口を有し且つ前記排水ライン上に置かれるフランジを備え、前記フランジが、前記排水ラインの端部上でリムおよびガスケットに係合する請求項１４に記載の生ごみ処理機および接続部材アセンブリ。
【請求項１６】
前記複数のフックがそれぞれ、
前記フランジの面から延びる第１部分と、
内向きに延び、前記タブの１つの前記ごみ処理機に面する面に係合する、前記第１部分の端部上の第２部分とを備える請求項１５に記載の生ごみ処理機および接続部材アセンブリ。
【請求項１７】
前記複数のタブがそれぞれ、傾斜した案内端部と、該案内端部に隣接し、前記ごみ処理機に面した前記タブの面に画定されたへこみ部分とを備える請求項１６に記載の生ごみ処理機および接続部材アセンブリ。
【請求項１８】
各フックの前記第２部分が、前記タブの前記へこみ部分に置かれる突起部を備える請求項１７に記載の生ごみ処理機および接続部材アセンブリ。
【請求項１９】
前記アンカーが前記第１接続部材に設けられ、前記係止部も前記第１接続部材の係止部分に設けられ、前記第２接続部材に、前記アンカー部分に係合し、前記第１接続部材に面して保持される第１部分と、前記係止部によって係合が行われ、それによって、前記第１接続部材の前記係止部分に面して保持される第２部分とが設けられる請求項１から４のいずれかに記載の生ごみ処理機および接続部材アセンブリ。
【請求項２０】
前記第２接続部材が、前記排水ラインの端部上でリムおよびガスケットに係合する請求項１９に記載の生ごみ処理機および接続部材アセンブリ。
【請求項２１】
前記アンカー部分が、前記第１接続部材内に画定されたスロットを含み、前記第２接続部材の前記第１部分が、前記第２接続部材の端部上に前記スロットに連結するためのタブを含む請求項１９または２０のいずれかに記載の生ごみ処理機および接続部材アセンブリ。
【請求項２２】
前記係止部が、前記係止部分にヒンジ様に取り付けられるハンドルを備える、請求項１９から２１のいずれかに記載の生ごみ処理機および接続部材アセンブリ。
【請求項２３】
前記係止部が、前記ハンドルに取り付けられ且つ前記第１接続部材内のスロット内にカチッとはまるリングをさらに備える請求項２２に記載の生ごみ処理機および接続部材アセンブリ。
【請求項２４】
前記係止部が、前記係止部分に旋回可能に取り付けられるカラーを備える請求項１９から２１のいずれかに記載の生ごみ処理機および接続部材アセンブリ。
【請求項２５】
前記カラーが、前記第１接続部材上のボス上に旋回可能に置かれる穴を備える請求項２４に記載の生ごみ処理機および接続部材アセンブリ。
【請求項２６】
前記カラーが、前記第１接続部材内に画定された穴またはへこみ内に置かれる、第１および第２側壁上の係止タブを備える請求項２４または２５のいずれかに記載の生ごみ処理機および接続部材アセンブリ。
【請求項２７】
前記係止部が、１つの端部がキー穴中に保持され且つ別の端部が前記第２接続部材の前記第２部分に係合するキーを備える請求項１９から２１のいずれかに記載の生ごみ処理機および接続部材アセンブリ。
【請求項２８】
前記キーの前記１つの端部が、前記第１接続部材内に画定された回転止め中に置かれる爪を有する請求項２７に記載の生ごみ処理機および接続部材アセンブリ。
【請求項２９】
前記係止部が、１つの端部が前記係止部分に取り付けられ且つ別の端部上のシュラウドが前記第２接続部材の前記第２部分に係合する留め具を備える請求項１９から２１のいずれかに記載の生ごみ処理機および接続部材アセンブリ。
【請求項３０】
前記係止部が、１つの端部が前記係止部分に取り付けられ、別の端部上のカムが前記第２接続部材の前記第２部分に係合する回転可能な部材を備える請求項１９から２１のいずれかに記載の生ごみ処理機および接続部材アセンブリ。
【請求項３１】
前記カムが前記回転可能な部材の１つの面上に配設される請求項３０に記載の生ごみ処理機および接続部材アセンブリ。
【請求項３２】
前記カムが、前記第２接続部材内に画定されたスロットに置かれる、前記第１接続部材に面する面上に回転止めを備える請求項３０または３１のいずれかに記載の生ごみ処理機および接続部材アセンブリ。
【請求項３３】
生ごみを粉砕する生ごみ処理機の排出口に連結される第１接続部材を、排水ラインに連結される第２接続部材に工具を用いずに取り付ける方法であって、
ａ）前記第１接続部材上に前記第２接続部材の第１部分を固定することと、
ｂ）前記第１接続部材の係止部分に前記第２接続部材の第２部分を確実に係止することとを含む方法。
【請求項３４】
前記第１接続部材に面して前記第２接続部材を位置決めする前に、前記第１接続部材と前記第２接続部材の間にガスケットまたはシールを配設することをさらに含む請求項３３に記載の方法。
【請求項３５】
前記ステップａ）が、
前記第１接続部材内に画定されたスロット内に、前記第２接続部材の端部上のタブを置くことと、
オス部材上にメス部材を位置決めすることとのうち１つまたは両方を含む請求項３３または３４のいずれかに記載の方法。
【請求項３６】
前記ステップｂ）が、
前記第２接続部材内にキーを係止し、前記第２接続部材の端部を前記キーに係合することと、
前記第１接続部材にヒンジ様に取り付けたハンドルを前記第２接続部材に押し付けてクランプすることと、
前記第１接続部材に旋回可能に取り付けたカラーを前記第２接続部材に押し付けてクランプすることと、
前記第１接続部材に留め具を取り付け、前記第２接続部材の端部を前記留め具のシュラウドに係合することと、
前記第１接続部材に取り付けられたカムを回転し、前記第２接続部材の端部を前記カムに係合することと、
前記第１接続部材の周りに配設された複数のタブに、前記第２接続部材内に画定された複数のスロットをはめ込むことと、
前記第１接続部材の周りに配設されたリッジ上に、前記第２接続部材に取り付けられたレバー上の複数のキャッチをはめることと、
前記第１接続部材の周りに配設された複数のタブに、前記第２接続部材上の複数のフックをはめることのうち１つまたは複数を含む請求項３３から３５のいずれかに記載の方法。